(57)【要約】【課題】  放送コンテンツに含まれる様々な種類のコピー制御情報に対し、記録時や再生時や編集時やあるいはダビング時において、ユーザーの設定通りに動作させることが可能である映像記録再生装置を提供する。【解決手段】  ユーザーが設定手段８に記録時や再生時や編集時やあるいはダビング時における各部の動作をあらかじめ設定し、放送コンテンツのコピー制御情報の変化点にチャプターマーク付加手段２でチャプターマークを付加し記録手段５で記録媒体４に記録することにより、チャプターマークとコピー制御情報を用い、ユーザーの設定に従ってコンテンツを記録／再生／削除／編集／ムーブ等させることが可能となる。【選択図】  図１
2006179149.tif 000002
【特許請求の範囲】
【請求項１】
コンテンツのコピー制御情報を検出することのできるコピー制御情報検出手段と、放送データからコンテンツのコピー制御情報の種類が切り替わる変化点を検出してチャプターマーク情報を付加することのできるチャプターマーク付加手段と、記録されたコンテンツからチャプターマーク情報を検出することのできるチャプターマーク検出手段と、チャプターマークが付加されたコンテンツを記録媒体に記録することのできる記録手段と、記録コンテンツを再生させることのできる再生手段と、コンテンツを削除することのできる削除手段と、記録時や再生時や編集時やあるいはダビング時にコピー制御情報の種類に応じてどのような動作を行うかその他の各種の設定をユーザーがあらかじめ設定することのできる設定手段と、設定手段の設定に応じて記録動作や再生動作や削除動作や編集動作やあるいはムーブ動作を制御することのできる制御手段と、を備え、記録コンテンツ内のチャプターマーク情報で区切られた区間のコンテンツ単位で各種の動作を実行できることを特徴とする映像記録再生装置。
【請求項２】
コピー制御情報が未定義である場合はコピー禁止として処理することを特徴とする請求項１記載の映像記録再生装置。
【請求項３】
コピー禁止とコピー可と一世代コピー可とそれ以外の定義のコピー制御情報にも対応可能であることを特徴とする請求項１または２記載の映像記録再生装置。
【請求項４】
複数のコピー制御情報が混在する付加されたチャプターマークで区切られた記録コンテンツに対し、ユーザーが設定した１種類のコピー制御情報のコンテンツ部分を残し、他のコンテンツ部分を削除する編集処理を有する特徴とする請求項１、２または３記載の映像記録再生装置。
【請求項５】
複数のコピー制御情報が混在する付加されたチャプターマークで区切られた記録コンテンツに対し、ユーザーが設定した１種類のコピー制御情報のコンテンツ部分を残し、他のコンテンツ部分を削除し、チャプターマーク部分で個々のタイトルにコンテンツを分割する編集処理を有することを特徴とする請求項１、２または３記載の映像記録再生装置。
【請求項６】
複数のコピー制御情報が混在する付加されたチャプターマークで区切られた記録コンテンツに対し、ユーザーが設定した少なくとも２種類以上のコピー制御情報のコンテンツ部分を残し、他のコンテンツ部分を削除する編集処理を有することを特徴とする請求項１、２または３記載の映像記録再生装置。
【請求項７】
複数のコピー制御情報が混在する付加されたチャプターマークで区切られた記録コンテンツに対し、ユーザーが設定した少なくとも２種類以上のコピー制御情報のコンテンツ部分を残し、他のコンテンツ部分を削除し、コピー制御情報の種類が連続しないで切り替わるチャプターマーク部分で個々のタイトルにコンテンツを分割する編集処理を有することを特徴とする請求項１、２または３記載の映像記録再生装置。
【請求項８】
複数のコピー制御情報が混在する付加されたチャプターマークで区切られた記録コンテンツに対し、ユーザーが設定した少なくとも２種類以上のコピー制御情報のコンテンツ部分を残し、他のコンテンツ部分を削除し、チャプターマーク部分で個々のタイトルにコンテンツを分割する編集処理を有することを特徴とする請求項１、２または３記載の映像記録再生装置。
【請求項９】
複数のコピー制御情報が混在する付加されたチャプターマークで区切られた記録コンテンツに対し、ユーザーが設定したコピー制御情報のコンテンツ部分を残し、他のコンテンツ部分を削除し、コピー制御情報の種類ごとにユーザーが設定した所定の動作を実行する編集処理が可能であることを特徴とする請求項１、２、３、４、５、６、７または８記載の映像記録再生装置。
【請求項１０】
放送時に一世代コピー可であった部分を記録時にコピー禁止に変換して記録することを特徴とする請求項１、２、３、４、５、６、７、８または９記載の映像記録再生装置。
【請求項１１】
記録媒体に記録された記録コンテンツに対して記録終了時点で自動的に編集処理が可能であることを特徴とする請求項１、４、５、６、７、８または９記載の映像記録再生装置。
【請求項１２】
記録媒体に記録された記録コンテンツに対して記録終了時点で自動的に無信号部分の削除が可能であることを特徴とする請求項１、２、３、４、５、６、７、８、９または１０記載の映像記録再生装置。
【請求項１３】
再生時に現在地点からチャプターマーク部分までスキップ移動可能であることを特徴とする請求項１記載の映像記録再生装置。
【請求項１４】
複数のコピー制御情報が混在する付加されたチャプターマークで区切られた記録コンテンツに対し、ユーザーが選択した少なくとも１種類以上のコピー制御情報のコンテンツだけをリスト再生できることを特徴とする請求項１または１２記載の映像記録再生装置。
【請求項１５】
放送の記録終了時点で少なくともコピー可とコピー禁止の２種類のコピー制御情報が混在する付加されたチャプターマークで区切られた記録コンテンツをコピーする場合、コピー先においては少なくともコピー可とコピー禁止がそのまま記録され、コピー元においては少なくともコピー可部分を残してコピー禁止部分が削除され、ムーブ動作が実行されることを特徴とする請求項１または１０記載の映像記録再生装置。
【請求項１６】
コピー先がコピー元の記録媒体とは別の記録媒体であることを特徴とする請求項１５記載の映像記録再生装置。
【請求項１７】
チャプターマークは、放送を記録した時点においてはコピー制御情報の種類が切り替わる変化点を意味するが、記録終了時点においても編集処理後においても、コンテンツとコンテンツが切り替わる変化点を区切る機能を保持し続けることを特徴とする請求項１、２、３、４、５、６、７、８、９、１０、１１、１２、１３、１４、１５または１６記載の映像記録再生装置。
【請求項１８】
同じ種類のコピー制御情報が一定の時間以上続いた場合にはどのような動作をさせるかを、コピー制御情報の種類に応じてあらかじめ設定できる手段を有することを特徴とする請求項１、４、５、６、７、８、９、１１、１２、１３、１４、１５、１６記載の映像記録再生装置。
【発明の詳細な説明】
【技術分野】
【０００１】
この発明は、放送コンテンツに含まれるコピー制御情報を利用して、各種の制御を行うことができる映像記録再生装置に関するものである。
【背景技術】
【０００２】
放送コンテンツの記録時にコピー制御情報を検出して動作を制御することができる従来の映像記録再生装置として、たとえば、特許文献１の「ストリーム記録再生装置」がある。
【０００３】
コピー制御情報の変化点を検出して記録動作を制御し、不要なコンテンツの記録を行わないようにする。コピー制御情報が、コピー禁止（ＣＯＰＹ  ＮＥＶＥＲ）ならば、記録動作を中断させて無信号部分を記録せず、コピー制御情報がコピー禁止から一世代コピー可（ＣＯＰＹ  ＯＮＣＥ）、あるいは、コピー可（ＣＯＰＹ  ＦＲＥＥ）に変化した段階で記録動作を行う。記録時にコピー制御情報が禁止ならば、一切、記録動作自体を行わない。記録の途中で、コピー制御情報がコピー禁止に変化した段階で、即座に記録動作を中止する。コンテンツのコピー制御情報の変化点を検出する手段をもち、記録開始時から所定時間内に変化点が存在する場合には、記録開始位置として記録し、記録終了した時点より遡って所定時間内に変化点が存在する記録終了点として記録し、前記記録開始位置以前のコンテンツと前記記録終了位置以降のコンテンツは保存しない、もしくは再生できない状態とする。記録しようとする一世代コピー可、あるいは、コピー可の放送番組の直前の番組のコピー制御情報が、コピー禁止であることを知らずにユーザーが番組開始前に記録操作を行ったために、直前の番組のコピー禁止情報を取得してしまうことにより、録画を失敗することを防ぐ。記録している一世代コピー可あるいはコピー可の番組に続いた番組のコピー制御情報がコピー禁止であり、停止操作をすぐに行わなかったがために、コピー禁止番組を録画してしまい、記録コンテンツに無信号部分ができることを防ぐ。
【０００４】
【特許文献１】特開２００３−１３４４４９号公報
【発明の開示】
【発明が解決しようとする課題】
【０００５】
上記従来の映像記録再生装置には次のような問題点があった。
【０００６】
変化点を検出するのが記録開始点と終了点から所定時間内という制限がある。
【０００７】
記録開始点から記録終了点までの不要なコンテンツ部分を記録終了時に保存しないようにするために、再生できないようにしたり、不要部分を削除する処理が必要になり、記録終了処理にかかる時間が長くなる。
【０００８】
一旦記録を中断した後で、所定時間以上のコピー禁止期間が続くと、ユーザーが希望していない箇所で記録動作を終了してしまう。
【０００９】
請求項７に記載されている「コピー制御情報を含むストリームを記録再生するに際し、少なくとも記録開始時刻と記録終了時刻が特定可能な予約情報を保持し、前記記録開始時刻から所定の時間以内に前記コピー制御情報の変化点が存在する場合には前記変化点を記録開始位置として記憶し、前記記録終了時刻以前の所定時間内に前記変化点を検出した場合には前記変化点を記録終了位置として記憶し、前記記録開始位置以前のストリーム及び前記記録終了位置以降のストリームは保存しない、もしくは再生できない状態とすることを特徴とするストリーム記録再生装置。」を用いた実施例２の方法では、記録終了時間のコピー制御情報の変化点から所定時間以内の場合は、強制的に録画を終了して、ユーザーが希望したわけでもコピー禁止でもないのに記録終了位置が決定されてしまう。一世代コピー可とコピー可等の区別に対応できないため、コピー制御情報の違いに応じて記録コンテンツを加工することが求められる編集やダビングには適していない。
【００１０】
具体的な例として、同じチャンネルで放送されているコンテンツを２０：００から２３：００までの一定時間連続して予約録画した場合、放送コンテンツのプログラムが、２０：００〜２０：５４〔番組１〕一世代コピー可→２０：５４〜２０：５７〔ニュース１〕一世代コピー可→２０：５７〜２１：００〔コマーシャル１〕コピー可→２１：００〜２１：５４〔番組２〕コピー禁止→２１：５４〜２１：５７〔天気予報〕一世代コピー可→２１：５７〜２２：００〔コマーシャル２〕コピー可→２２：００〜２２：５４〔番組３〕一世代コピー可→２２：５４〜２２：５７〔ニュース２〕一世代コピー可→２２：５７〜２３：００〔コマーシャル３〕コピー可、であったとすると、記録コンテンツの方は、２０：００〜２０：５４〔番組１〕→２０：５４〜２０：５７〔ニュース１〕→２０：５７〜２１：００〔コマーシャル１〕が記録され、その後、２１：００〜２１：５４〔番組２〕のコピー禁止を検出したことにより録画動作が停止、２１：００以降のコンテンツが記録されないまま終了する。
【００１１】
本発明は、記録コンテンツ内に含まれているコピー制御情報の種類に対応して、ユーザーが希望する記録や再生や編集やあるいはダビングを行うことができる映像記録再生装置を提供することを目的とする。
【課題を解決するための手段】
【００１２】
請求項１に記載された本発明の映像記録再生装置は、コンテンツのコピー制御情報を検出することのできるコピー制御情報検出手段と、放送データからコンテンツのコピー制御情報の種類が切り替わる変化点を検出してチャプターマーク情報を付加することのできるチャプターマーク付加手段と、記録されたコンテンツからチャプターマーク情報を検出することのできるチャプターマーク検出手段と、チャプターマークが付加されたコンテンツを記録媒体に記録することのできる記録手段と、記録コンテンツを再生させることのできる再生手段と、コンテンツを削除することのできる削除手段と、記録時や再生時や編集時やあるいはダビング時にコピー制御情報の種類に応じてどのような動作を行うかその他の各種の設定をユーザーがあらかじめ設定することのできる設定手段と、設定手段の設定に応じて記録動作や再生動作や削除動作や編集動作やあるいはムーブ動作を制御することのできる制御手段と、を備え、記録コンテンツ内のチャプターマーク情報で区切られた区間のコンテンツ単位で各種の動作を実行できることを特徴とする。
【００１３】
請求項２の発明は、請求項１記載の映像記録再生装置において、コピー制御情報が未定義である場合はコピー禁止として処理することを特徴とする。
【００１４】
請求項３の発明は、請求項１または２に記載された映像記録再生装置において、コピー禁止とコピー可と一世代コピー可とそれ以外の定義のコピー制御情報にも対応可能であることを特徴とする。
【００１５】
請求項４の発明は、請求項１、２または３に記載された映像記録再生装置において、複数のコピー制御情報が混在する付加されたチャプターマークで区切られた記録コンテンツに対し、ユーザーが設定した１種類のコピー制御情報のコンテンツ部分を残し、他のコンテンツ部分を削除する編集処理を有することを特徴とする。
【００１６】
請求項５の発明は、請求項１、２または３に記載された映像記録再生装置において、複数のコピー制御情報が混在する付加されたチャプターマークで区切られた記録コンテンツに対し、ユーザーが設定した１種類のコピー制御情報のコンテンツ部分を残し、他のコンテンツ部分を削除し、チャプターマーク部分で個々のタイトルにコンテンツを分割する編集処理を有することを特徴とする。
【００１７】
請求項６の発明は請求項１、２または３に記載された映像記録再生装置において、複数のコピー制御情報が混在する付加されたチャプターマークで区切られた記録コンテンツに対し、ユーザーが設定した少なくとも２種類以上のコピー制御情報のコンテンツ部分を残し、他のコンテンツ部分を削除する編集処理を有することを特徴とする。
【００１８】
請求項７の発明は、請求項１、２または３に記載された映像記録再生装置において、複数のコピー制御情報が混在する付加されたチャプターマークで区切られた記録コンテンツに対し、ユーザーが設定した少なくとも２種類以上のコピー制御情報のコンテンツ部分を残し、他のコンテンツ部分を削除し、コピー制御情報の種類が連続しないで切り替わるチャプターマーク部分で個々のタイトルにコンテンツを分割する編集処理を有することを特徴とする。
【００１９】
請求項８の発明は、請求項１、２または３に記載された映像記録再生装置において、複数のコピー制御情報が混在する付加されたチャプターマークで区切られた記録コンテンツに対し、ユーザーが設定した少なくとも２種類以上のコピー制御情報のコンテンツ部分を残し、他のコンテンツ部分を削除し、チャプターマーク部分で個々のタイトルにコンテンツを分割する編集処理を有する特徴とする。
【００２０】
請求項９の発明は、請求項１、２または３に記載された映像記録再生装置において、複数のコピー制御情報が混在する付加されたチャプターマークで区切られた記録コンテンツに対し、ユーザーが設定したコピー制御情報のコンテンツ部分を残し、他のコンテンツ部分を削除し、コピー制御情報の種類ごとにユーザーが設定した所定の動作を実行する編集処理が可能であることを特徴とする。
【００２１】
請求項１０の発明は、請求項１、２、３、４、５、６、７、８または９に記載された映像記録再生装置において、放送時に一世代コピー可であった部分を記録時にコピー禁止に変換して記録することを特徴とする。
【００２２】
請求項１１の発明は、請求項１、２、３、４、５、６、７、８または９に記載された映像記録再生装置において、記録媒体に記録された記録コンテンツに対して記録終了時点で自動的に編集処理が可能であることを特徴とする。
【００２３】
請求項１２の発明は、請求項１、２、３、４、５、６、７、８、９または１０に記載された映像記録再生装置において、記録媒体に記録された記録コンテンツに対して記録終了時点で自動的に無信号部分の削除が可能であることを特徴とする。
【００２４】
請求項１３の発明は、請求項１に記載された映像記録再生装置において、再生時に現在地点からチャプターマーク部分までスキップ移動可能であることを特徴とする。
【００２５】
請求項１４の発明は、請求項１または１３に記載された映像記録再生装置において、複数のコピー制御情報が混在する付加されたチャプターマークで区切られた記録コンテンツに対し、ユーザーが選択した少なくとも１種類以上のコピー制御情報のコンテンツだけをリスト再生できることを特徴とする。
【００２６】
請求項１５の発明は、請求項１に記載された映像記録再生装置において、放送の記録終了時点で少なくともコピー可とコピー禁止の２種類のコピー制御情報が混在する付加されたチャプターマークで区切られた記録コンテンツをコピーする場合、コピー先においては少なくともコピー可とコピー禁止がそのまま記録され、コピー元においては少なくともコピー可部分を残してコピー禁止部分が削除され、ムーブ動作が実行されることを特徴とする。
【００２７】
請求項１６の発明は、請求項１５に記載された映像記録再生装置において、コピー先がコピー元の記録媒体とは別の記録媒体であることを特徴とする。
【００２８】
請求項１７の発明は、請求項１、２、３、４、５、６、７、８、９、１０、１１、１２、１３、１４、１５または１６に記載された映像記録再生装置において、チャプターマークは、放送を記録した時点においてはコピー制御情報の種類が切り替わる変化点を意味するが、記録終了時点においても編集処理後においても、コンテンツとコンテンツが切り替わる変化点を区切る機能を保持し続けることを特徴とする。
【００２９】
請求項１８の発明は、請求項１に記載された映像記録再生装置において、同じ種類のコピー制御情報が一定の時間以上続いた場合にはどのような動作をさせるかを、コピー制御情報の種類に応じてあらかじめ設定できる手段を有することを特徴とする。
【発明の効果】
【００３０】
上記した本発明の映像記録再生装置によれば、以下に述べるような効果がある。
【００３１】
上記した従来の技術は記録開始から記録してコピー禁止コンテンツ以降は全て記録しないものであったが、請求項１をはじめとする本発明はコピー禁止コンテンツも記録してしまい、記録後にコピー制御情報に対応することでユーザーの希望する操作を容易に行えるようにすることができる。コピー禁止を検出しても記録し、記録終了後に設定に応じてコピー禁止部分を削除することができる。放送コンテンツに複数種類のコピー制御情報が含まれる状態で記録を行っても、コピー世代管理に対応することができ、ユーザーの使い方の幅を広げることができる。コピー制御情報ごとにユーザーが希望する記録時や再生時や編集時やあるいはダビング時の動作をあらかじめ設定しておくことができる。コピー制御情報の変化点を検出してチャプターマークを付加し、コンテンツとコピー制御情報とチャプターマーク情報を記録することにより、様々な制御が可能となる。コピー制御情報の変化点は番組の切り替え点であることが多いため、チャプターマークで区切られた区間に存在するコンテンツをコピー制御情報の各種類に応じて制御することにより、ユーザーの希望に対応した動作を実行することが可能となる。たとえば、一旦録画した記録コンテンツを、チャプターマーク位置で区切り分離して様々な管理を容易に行うことができる。また、再生中にシーン・ジャンプする等して操作性を向上させることができる。
【００３２】
特に請求項２記載の発明によれば、コピー制御情報が未定義である部分をコピー禁止として処理することができる。
【００３３】
特に請求項３記載の発明によれば、コピー禁止とコピー可と一世代コピー可とそれ以外の定義のコピー制御情報にも対応できる。コピー制御情報の種類が増えた場合、より多様な制御が可能となる。コピー制御情報に、複数回コピー可や、一定期間コピー可などの情報が追加される可能性もある。
【００３４】
特に請求項４記載の発明によれば、一個の記録コンテンツをユーザーが選択した一種類のコピー制御情報のコンテンツのみでまとめた一個の記録データとすることができる。コピー可だけを記録するモードが可能である。一世代コピー可だけを記録するモードも可能である。
【００３５】
特に請求項５記載の発明によれば、一個の記録コンテンツをユーザーが選択した一種類のコピー制御情報のコンテンツのみを区切りごとのコンテンツに分けて別々の記録データとすることができる。一世代コピー可の録画部分を個々の別タイトルとして記録するモードも可能である。コピー可の録画部分を個々の別タイトルとして記録するモードが可能である。
【００３６】
特に請求項６記載の発明によれば、一個の記録コンテンツをユーザーが選択した複数種類のコピー制御情報のコンテンツのみでまとめた一個の記録データとすることができる。一世代コピー可とコピー可をともに記録するモードが可能である。
【００３７】
特に請求項７記載の発明によれば、一個の記録コンテンツをユーザーが選択した複数種類のコピー制御情報のコンテンツのみを種類が変化するごとに別々の記録データとすることができる。コピー制御情報の変化ごとに、コピー可コンテンツの連続と、一世代コピー可コンテンツの連続の、別々のタイトルに分けるモードが可能である。
【００３８】
特に請求項８記載の発明によれば、一個の記録コンテンツをユーザーが選択した複数種類のコピー制御情報のコンテンツのみを区切りごとのコンテンツに分けて別々の記録データとすることができる。選択した種類のコンテンツをすべて個々の別タイトルとするモードが可能である。
【００３９】
特に請求項９記載の発明によれば、記録コンテンツに含まれるコピー制御情報の種類に応じて、ユーザーがあらかじめ処理方法を設定しておくことができるため、で操作性が非常によくなる。ユーザーはモードを選択するだけで、後は自動で処理することが可能である。
【００４０】
特に請求項１０記載の発明によれば、放送では一世代コピー可であった部分をコピー禁止に変換して記録することができる。これにより記録コンテンツの該当部分からコピー禁止を検出することができるようになる。コピー元としてダビングした場合はムーブ動作を行って削除することが可能となる。
【００４１】
特に請求項１１記載の発明によれば、記録終了時に自動で記録コンテンツを編集加工するモードが可能となる。
【００４２】
特に請求項１２記載の発明によれば、記録終了時に自動でコンテンツが記録されてない部分を削除するモードが可能となる。
【００４３】
特に請求項１３記載の発明によれば、コンテンツの区切りであるチャプターマークを利用してスキップする操作が可能であり、操作性が向上する。
【００４４】
特に請求項１４記載の発明によれば、たとえば、コピー可コンテンツだけを再生するモードも可能である。一世代コピー可コンテンツだけを再生するモードも可能である。コピー可コンテンツと一世代コピー可をともに再生するモードも可能である。
【００４５】
特に請求項１５記載の発明によれば、ムーブ動作によるコピーが可能となる。請求項１０記載の発明と併せることにより、放送記録時においてコピー可部分はそのまま記録し一世代コピー可部分をコピー禁止に変換して記録し、コピー時には、コピー先にはコピー可とコピー禁止の両方を記録し、コピー元からはコピー可部分を残して放送記録時に一世代コピー可であったコピー禁止に変換された部分を削除させることが可能となり、コンテンツのコピー制御情報による操作制限を減少させることができる。コンテンツを分割することなく、コピーを行うことができる。コピー元からコピー禁止部分が削除されてしまうので、結果的にコピーは一度しかできない。
【００４６】
特に請求項１６記載の発明によれば、映像記録再生装置が、２つの記録媒体を有する複合機や、異なる記録メディアを備えた複合機である場合において、請求項１５に記載されたムーブ動作が可能となる。コンテンツを分割することなく、ダビングを行うことができる。コピー元からコピー禁止部分が削除されてしまうので、結果的にダビングは一度しかできない。
【００４７】
特に請求項１７記載の発明によれば、放送の記録時にコピー制御情報の変化点に付加されたチャプターマークが、編集加工によりコピー制御情報の変化点ではなくなってしまった場合でも、個々のコンテンツを区切るコンテンツの切り替わる変化点として存続し機能することに変わりはない。編集前でも後でも個々のコンテンツ単位の編集やスキップ移動に活用することができる。
【００４８】
特に請求項１８記載の発明によれば、ある種類のコピー制御情報が一定時間以上続いた場合に、設定に従って自動対応することが可能となる。時間は任意に設定可能である。たとえば、２０分以上コピー禁止が続いたならば何らかの処理を実行させることができる。何をどう処理するかはユーザーが任意に決めることができるが、たとえば停止させる、一時停止する、警告音を出す、モードを変更する、記録終了後削除、その他、ユーザーの都合に合わせて設定することができる。
【発明を実施するための最良の形態】
【００４９】
以下、本発明に係る映像記録再生装置を実施するための最良の形態の一例について図を参照しながら説明するが、本発明は本実施の形態にのみ限定されるべきものではない。
【００５０】
本発明の映像記録再生装置は現在のところＤＶＤ−ＶＲ規格のＶＲフォーマットに限定で使用できる。ＤＶＤ−ＶＩＤＥＯ規格はコピー世代管理情報（ＣＧＭＳ）に十分な対応をしておらず、ディスク内にＣＰＲＭを行う領域が無いため、ＤＶＤ−ＶＩＤＥＯ規格のＶＩＤＥＯフォーマットには制限がつく。映像記憶再生装置独自で持つこともできるが、それでは互換性を保つのが困難となる。ＤＶＤ−ＶＲ規格とＤＶＤ−ＶＩＤＥＯ規格ではデータ構造が異なる。ＤＶＤ−ＶＩＤＥＯ規格は元はＤＶＤ−ＲＯＭ用に作成されたものであり、録画に適した規格としてＤＶＤ−ＶＲ規格が存在しており、チャプター情報とコピー制御情報も自由度が高くなっている。そこで現時点では、本発明の実施形態及び図面はコピー世代管理情報（ＣＧＭＳ）を利用したＤＶＤ−ＶＲ規格に基づいた内容となっているが、記載している名称及び図面に限定せず、ＣＧＭＳ以外のコピー制御情報に類した情報を元にコンテンツ毎にエントリーポイントに代わる任意のマーク（チャプター）を付加し、制御情報を管理することも可能で、その場合、コピー制御に関する名称及び表現は本明細書に記載されているものと異なる可能性がある。更にＤＶＤ−ＶＲ規格以外において本発明を実施することも可能で、その場合、コピー制御情報に類した情報を格納する場所やマークを付加したりする方法、更にはチャプター情報とコピー制御情報の構造は本明細書に記載する構造に限定されるものではない。
【００５１】
図１は、本発明の構成の一例をあらわすブロック図である。コピー制御情報検出手段１とチャプターマーク付加手段２とチャプターマーク検出手段３と記録媒体４と記録手段５と再生手段６と削除手段７と設定手段８と制御手段９とを備えている。映像コンテンツを含む放送データが入力されると、これを記録手段５が記録媒体４に記録するのであるが、その前段階で、チャプターマーク付加手段２が放送コンテンツのコピー制御情報の切り替わる変化点を検出してチャプターマーク情報を付加し、チャプターマークが付加されたコンテンツをコピー制御情報ともに記録媒体４に記録させる。記録媒体４に記録された記録コンテンツは再生手段６によって再生される。ノーマルな再生も可能である。再生時、記録コンテンツのコピー制御情報をコピー制御情報検出手段１によって検出し、チャプターマーク情報はチャプターマーク検出手段３によって検出される。削除手段７は、記録データ自体を消去することも可能であるが、チャプターマークで区切られた区間のコンテンツ単位で削除することもできる。記録動作、再生動作、削除動作、編集動作、ムーブ動作等は、すべて制御手段５によって制御される。記録手段５は、コピー制御情報検出手段１やチャプターマーク検出手段３や設定手段８からのデータに基づいて各動作を制御している。設定手段８は、記録時や再生時や編集時やあるいはダビング時にコピー制御情報の種類に応じてどのような動作を行うかその他の各種の設定をユーザーがあらかじめ設定することのできる手段である。なお、図１の構成は、一例であり、これ以外の構成であってもよい。また、これ以外の手段が加わっても本発明は成立する。
【００５２】
図２は、本発明の構造の一例をあらわすブロック図である。ビデオデコーダ１０は、映像信号をビットストリームに変換するとともに、信号内に含まれるコピー制御情報を制御用マイコン１７に通知する。ＭＰＥＧエンコーダ１１は、図示しない映像ビットストリームと音声ビットストリームをＭＰＥＧ圧縮する。ストリーム処理部１６は、ＭＰＥＧストリームを各ファイルシステムにあわせて、記録メディアドライブ１３へ送る。記録メディアドライブ１３はＤＶＤドライブまたはＨＤＤ等である。制御部１７からの情報でチャプターを付加する。また、シーンカットの編集処理では、一旦記録メディアドライブ１３からストリームを取り出し、制御部１７からの情報に従って編集処理を行い、その後、再び、ファイルシステムにあわせて、記録メディアドライブ１３へ送る処理を行う。Ｔｒａｃｋ  Ｂｕｆｆｅｒ１２はストリーム処理部１６と接続されたメモリである。コピー制御情報の変化点検出部１５は、コピー世代管理（ＣＧＭＳ（Ｃｏｐｙ  Ｇｅｎｅｒａｔｉｏｎ  Ｍａｎａｇｅｍｅｎｔ  Ｓｙｓｔｅｍ））を行うためのものであり、コピー世代管理情報（ＣＧＭＳ）には、コピー可（Ｃｏｐｙ  Ｆｒｅｅ）／一世代コピー可（Ｃｏｐｙ  Ｏｎｃｅ）／コピー禁止（Ｃｏｐｙ  Ｎｅｖｅｒ）がある。コピー禁止は、一般的な表現では録画禁止となる。一世代コピー可は、一回のみコピー可能という意味であり、たとえば記録メディアドライブ１３のＨＤＤやＤＶＤ機器に一回記録することはできるが、他の記録メディアに複製することはできない。チャプターは、一個の記録コンテンツ（タイトル）を複数のパートに章（チャート）として分割したものである。ＤＶＤ規格、ＤＶＤ−ＶＲフォーマットではエントリーポイント（ＥＰ）、ＤＶＤ／ＶＩＤＥＯフォーマットではパート・オブ・タイトル（ＰＴＴ）として定義されている。コピー制御情報の変化点検出部１５とストリーム処理部１６と制御部１７は、制御用マイコン１４上で作動している。
【００５３】
コピー制御情報を利用して、一世代コピー可／コピー可／コピー禁止、の切り替わりごとにチャプターを付加するが、具体的な格納場所（領域）として、ＤＶＤ−ＶＲ規格では、チャプターマークはエントリーポイントとして設定し、ＤＶＤ内のＩＦＯファイル（ヘッダ情報）に格納される。チャプターマークは映像のフレーム（１コマ）単位で指定することができる。従って実際の使用環境においてはコピー制御情報の変化点の全部にチャプターマークを付加することができる。変化点に付加したチャプターは、その記録コンテンツ内の番組に対して、コピー可か／一世代コピー可かどうかを区切る役割をしており、区切られた番組（コンテンツ）がコピー可か／一世代コピー可かどうかはストリーム（ＶＯＢ）内に格納される。その際、一世代コピー可はコピー禁止に変換されて格納される。これは、そのディスクを再生したときにこの番組がコピー禁止であると出力できるようにするためである。チャプターマークを付加する最大のメリットは、放送を記録した後で記録コンテンツをどう使うかをユーザーが設定できる点にある。自動カットや分類分けのオプション的な機能を実行させることも可能となる。
【００５４】
図３は、放送時のコンテンツと記録後のコンテンツが編集されて一部変化する一例をあらわしている説明図である。シーンカットとは、一個の記録コンテンツの内部からチャプターマークで区切られているコンテンツだけを削除してしまう編集を意味する。図３の場合、放送されるコンテンツは、コピー禁止→一世代コピー可→コピー禁止、の３つの範囲（コンテンツ）から構成されている。記録されるストリーム（記録コンテンツ）は、記録開始位置から記録終了位置までの間に、コピー禁止→チャプターマーク→一世代コピー可→チャプターマーク→コピー禁止、というチャプターで区切られた３つの区域（コンテンツ）から構成されたものとなっている。この記録コンテンツのコピー禁止部分は、ユーザーの設定に応じて、シーンカット（削除）することが可能である。
【００５５】
図４は、放送時のコンテンツと記録後のコンテンツが編集されて一部変化する一例をあらわしている説明図である。図４の場合、放送されるコンテンツは、コピー禁止→コピー可→一世代コピー可→コピー可、の４つの範囲（コンテンツ）から構成されている。記録されるストリーム（記録コンテンツ）は、記録開始位置から記録終了位置までの間に、コピー禁止→チャプターマーク→コピー可→チャプターマーク→一世代コピー可→チャプターマーク→コピー可、というチャプターで区切られた４つの区域（コンテンツ）から構成されたものとなっている。この記録コンテンツのコピー禁止部分は、ユーザーの設定に応じて、シーンカット（削除）することが可能である。残る３つのコンテンツは、ユーザーの設定に応じて、一個の記録コンテンツのままとすることも、区切りごとに３個のタイトル（コンテンツ）にタイトル分割することも、どちらも可能である。
【００５６】
一つの具体例として、同じチャンネルで放送されているコンテンツを２０：００から２３：００までの定時間連続して予約録画した場合、放送コンテンツのプログラムが、２０：００〜２０：５４〔番組１〕一世代コピー可→２０：５４〜２０：５７〔ニュース１〕一世代コピー可→２０：５７〜２１：００〔コマーシャル１〕コピー可→２１：００〜２１：５４〔番組２〕コピー禁止→２１：５４〜２１：５７〔天気予報〕一世代コピー可→２１：５７〜２２：００〔コマーシャル２〕コピー可→２２：００〜２２：５４〔番組３〕一世代コピー可→２２：５４〜２２：５７〔ニュース２〕一世代コピー可→２２：５７〜２３：００〔コマーシャル３〕コピー可、であったとすると、記録コンテンツの方は、ユーザーの設定に応じて、全コンテンツを記録することが可能であり、また、記録終了後にコピー禁止コンテンツである２１：００〜２１：５４〔番組２〕だけをシーンカット（削除）することも可能であり、また、コピー可コンテンツだけで、２０：５７〜２１：００〔コマーシャル１〕→２１：５７〜２２：００〔コマーシャル２〕→２２：５７〜２３：００〔コマーシャル３〕、とすることも可能であり、また、一世代コピー可だけで、２０：００〜２０：５４〔番組１〕→２０：５４〜２０：５７〔ニュース１〕→２１：５４〜２１：５７〔天気予報〕→２２：００〜２２：５４〔番組３〕→２２：５４〜２２：５７〔ニュース２〕、とすることも可能であり、また、コピー可と一世代コピー可の切り替わりごとにコンテンツを分けて、一世代コピー可の方は、２０：００〜２０：５４〔番組１〕→２０：５４〜２０：５７〔ニュース１〕、２１：５４〜２１：５７〔天気予報〕→２２：００〜２２：５４〔番組３〕→２２：５４〜２２：５７〔ニュース２〕、一世代コピー可の方は、２０：５７〜２１：００〔コマーシャル１〕、２１：５７〜２２：００〔コマーシャル２〕、２２：５７〜２３：００〔コマーシャル３〕、とすることも可能である。シーンカットと分類のほかに、チャプターの区切りごとに個々のタイトルに分割してしまうことも可能である。
【００５７】
図５は、放送コンテンツと記録コンテンツ、そして、この記録コンテンツをダビング（コピー）した後のダビング先（コピー先）とダビング元（コピー元）の各コンテンツをあらわすものである。本発明による記録動作では、図５の（ａ）のようなコピー可（Ｃｏｐｙ  Ｆｒｅｅ）と一世代コピー可（Ｃｏｐｙ  Ｏｎｃｅ）とコピー禁止（Ｃｏｐｙ  Ｎｅｖｅｒ）の混在する放送を録画した際に、記録メディア（記録媒体）へはエントリーポイント（チャプターマーク）が付加された記録コンテンツが記録され、コピー可を記録しコピー禁止を保存せず放送の一世代コピー可はコピー禁止（Ｎｏ  Ｍｏｒｅ  Ｃｏｐｙｉｎｇ）に変換して記録させた（ｂ）のような記録コンテンツを作成することができる。（ｂ）の記録コンテンツを他の記録メディア（記録媒体）へダビングしたとき、ダビング先の記録メディアにできるのがダビング前の記録コンテンツと同じ内容の（ｃ）のコンテンツであり、最終的にダビング元に残るのがコピー禁止（Ｎｏ  Ｍｏｒｅ  Ｃｏｐｙｉｎｇ）部分を消去したコピー可だけの（ｂ）のコンテンツである。ＤＶＤ、ＶＣＲ、ＨＤＤなど複数の記録メディアを備えた複合の映像記録再生装置によれば、ダビングが容易にできる。複数の記録メディアを持つ映像記録再生装置では、最初に特定の記録メディア（記録媒体。たとえばＨＤＤ。）に記録した後に、別の記録メディア（記録媒体。たとえばＤＶＤやＶＣＲ。）にダビングする。一般にコピー可コンテンツでは、コピー制限がないため、ダビングは自由であるが、一世代コピー可コンテンツでは、一度しかコピーできないため、ダビング時にはムーブ動作（Ｍｏｖｅ）を行う必要がある。ムーブ動作とは、コピー先の記録メディアにダビングを行うが、その際、コピー元の記録メディア上からコピー済のコンテンツを削除する方法である。すなわち、コピー可ではコピー動作（記録動作）、一世代コピー可ではムーブ動作をしなくてはならないが、本発明の映像記録再生装置によれば、コンテンツを分割することなく、ダビングが可能である。ダビング時のムーブ動作の一例を示すと、まず、コンテンツのコピー世代管理情報（ＣＧＭＳ）を検知確認し、次に、ダビングを開始し、コピー可部分はそのままコピーし、コピー禁止部分はコピー後に元データのエントリーポイント（チャプターマーク）間を消去し、次に、元データの消去必要部分の消去が正常終了することでダビング終了となる。
【図面の簡単な説明】
【００５８】
【図１】本発明の構成の一例をあらわすブロック図。
【図２】本発明の構造の一例をあらわすブロック図。
【図３】放送時のコンテンツと記録後のコンテンツの一例をあらわす説明図。
【図４】放送時のコンテンツと記録後のコンテンツの一例をあらわす説明図。
【図５】放送コンテンツと記録コンテンツとダビング後のダビング先とダビング元の各コンテンツをあらわす説明図。
【符号の説明】
【００５９】
１  コピー制御情報検出手段
２  チャプターマーク付加手段
３  チャプターマーク検出手段
４  記録媒体
５  記録手段
６  再生手段
７  削除手段
８  設定手段
９  制御手段
【図１】
2006179149.tif 000003
【図２】
2006179149.tif 000004
【図３】
2006179149.tif 000005
【図４】
2006179149.tif 000006
【図５】
2006179149.tif 000007